(57)【要約】      （修正有）【課題】ペットが突発的に前進しようとするなど、予想外の動作をとっても、ペットの前胸や腹部に過度のテンションがかかるのを回避するとともに、ペットが逃げ出すことを防止するペット用ハーネスを提供する。【解決手段】ペット２の首に当接される首輪部材５と、ペット２に装着されるベスト部１１と、ペット２の背中中央に位置され、リード３が係合されるリード係合部１２と、装着部１５とを備え、ベスト部１１は、ペットの前胸に巻き回される前胸用帯１３と、ペットの腹部に巻き回される腹部用帯１４と、ペット２の胸部において、一定の面積をもって、前胸用帯１３と腹部用帯１４とを連結する連結布部材１６とから形成されている。一対のリード係合部１２は、リングを重ね合わせた状態における、左右の全長が、係合状態における装着部１５の長さにほぼ等しく、首輪部材５は、リード係合部１２に係合される連結部を介して環状部１１１ａが形成されたベスト部１１と連結される。【選択図】図１
0003187998.tif 000002
【実用新案登録請求の範囲】
【請求項１】
四足動物に着用させるペット用ハーネスであって、
前記四足動物の首に当接される首輪部材と、
前記四足動物の前胸に当接される前胸用帯と、
前記四足動物の腹部に当接される腹部用帯と、
前記四足動物の前記胸部から前記腹部まで亘る胸部において、一定の面積をもって、前記前胸用帯と前記腹部用帯とを連結する連結布部材と、
前記前胸用帯の端部と、前記腹部用帯の端部を縫合することによって、左右一対に形成される環状部と、
前記左右一対の環状部同士を着脱自在に係合させる装着部と、
前記左右一対の環状部にそれぞれ接合され、その自由端側にリングをそれぞれ有する左右一対のリード係合部と
を備え、
前記一対のリード係合部は、前記リングを重ね合わせた状態における、左右の全長が、係合状態における前記装着部の長さにほぼ等しく、
前記首輪部材は、前記リード係合部に係合される連結部材を介して前記環状部と連結される
ことを特徴とするペット用ハーネス。
【請求項２】
前記前胸用帯の端部と前記腹部用帯の端部とが縫合された縫合部において、前記装着部及び前記リード係合部は、所定の角度をもって縫合され、
当該ペット用ハーネスを前記四足動物に装着した状態において、前記装着部の延長線と、前記リード係合部の延長線との交点が、前記連結布部材の中心よりも前記腹部用帯側に位置することを特徴とする請求項１に記載のペット用ハーネス。
【考案の詳細な説明】
【技術分野】
【０００１】
本考案は、犬や猫、フェレットなどの四足動物のペットに着用させるペット用ハーネスに関する。
【背景技術】
【０００２】
従来より、犬や猫、フェレットなどのペットに着用させるペット用ハーネスや胴輪については、種々のタイプが開発されており、例えば特許文献１に開示するようなものがある。この特許文献１に開示された技術では、ペットの背中に当接される布部材により、ハーネス全体をペットに密着させることができ、リードなどを介してペットに伝達されるテンションをペットの背中全体に分散させることができる。また、この特許文献１の技術では、リードが係合される頸部ベルト及び腹部ベルトが、布部材に対して一定の角度を保持するできるように、布部材の表面に縫着されていることから、所定の長さにわたってペットの身体に対するベルトの角度が変化されるのを防止することができ、ベルトが移動してペットの身体に食い込むのを回避することができる。
【先行技術文献】
【特許文献】
【０００３】
【特許文献１】特開２０１０−０２９１１４号公報
【考案の概要】
【考案が解決しようとする課題】
【０００４】
しかしながら、上記特許文献１に開示されたペット用ハーネスでは、リードなどを介してペットに伝達されるテンションをペットの背中に分散させるものであることから、突発的にペットが後足で立ち上がるなどの行動をとったときには、テンションによってペットの頚部や腹部を締め付けてしまう惧れがあった。また、ペットの予想外の動作によって抜けてしまう惧れがあった。
【０００５】
そこで、本考案は、上記のような問題を解決するものであり、ペットの突発的な予想外の動作によって、ペットに過度のテンションがかかるのを回避しつつ、ペットの予想外の動作によって抜けることを軽減するとともに、ペット２が逃げ出すことを防止するようなペット用ハーネスを提供することを目的とする。
【課題を解決するための手段】
【０００６】
上記課題を解決するために、本考案は、  四足動物に着用させるペット用ハーネスであって、四足動物の首に当接される首輪部材と、四足動物の前胸に当接される前胸用帯と、四足動物の腹部に当接される腹部用帯と、四足動物の胸部から腹部まで亘る胸部において、一定の面積をもって、前胸用帯と腹部用帯とを連結する連結布部材と、前胸用帯の端部と、腹部用帯の端部を縫合することによって、左右一対に形成される環状部と、左右一対の環状部同士を着脱自在に係合させる装着部と、左右一対の環状部にそれぞれ接合され、その自由端側にリングをそれぞれ有する左右一対のリード係合部とを備え、一対のリード係合部は、リングを重ね合わせた状態における、左右の全長が、係合状態における装着部の長さにほぼ等しく、首輪部材は、リード係合部に係合される連結部材を介して環状部と連結されることを特徴とする。
【０００７】
このような本考案によれば、前胸用帯の端部と、腹部用部材の端部を縫合することによって、左右一対に形成される環状部に、ペットの前足を通し、ペットの背後において、左右の装着部を係合させることで、ペットにハーネスを装着させることができる。このとき、ペットの胸部に当接される布部材により、ハーネス全体をペットに密着させることができ、また、布部材は所定の面積を有することから、リードなどを介してペットに伝達されるテンションをペットの胸部から腹部にかけて分散させることができる。
【０００８】
また、この布部材には、前胸用帯及び腹部用部材が、布部材に対して一定の角度を保持できるように、所定の長さにわたって布部材の表面に縫着されているとともに、一対のリード係合部は、そのリングを重ね合わせた状態における、左右の全長が、係合状態における装着部の長さにほぼ等しいため、ペット用ハーネスを装着した状態では、ペットが後足で立ち上がって突発的に前進しようとしたり、ペットが後退りするなど、予想外の動作を取っても環状部が外れる事を軽減することができる。
【０００９】
さらに、本考案によれば、四足動物の首に当接される首輪部材を有し、その首輪部材は、連結部材を介してリード係合部に係合されるので、例えば、四足動物が突然後退して四足動物の身体から環状部が抜けてしまった場合が生じても、首輪部材によって四足動物の動きを抑制することができ、四足動物が逃げてしまうことを防止することができる。
【００１０】
さらに、上記考案では、前胸用帯の端部と腹部用部材の端部とが縫合された縫合部において、装着部及びリード係合部は、所定の角度をもって縫合され、当該ペット用ハーネスを四足動物に装着した状態において、装着部の延長線と、リード係合部の延長線との交点が、連結布部材の中心よりも腹部用部材側に位置することが好ましい。この場合には、四足動物がペット用ハーネスを装着した状態において、装着部の延長線と、リード係合部の延長線との交点が、連結布部材の中心よりも腹部側に位置しているため、リードなどを介して、犬などの四足動物に伝達されるテンションが、四足動物の腹筋部分に作用させることができる。その結果、リードを四足動物の腹筋位置で背中（背骨）に対して垂直に引く事が可能となり、こにより、四足動物の前足を浮かすことができ、ペットをコントロールをしやすくすることができる。
【考案の効果】
【００１１】
以上述べたように、この考案によれば、犬や猫、フェレットなどの四足動物のペットに用いるペット用ハーネスにおいて、ペットが後足で立ち上がって突発的に前進しようとするなど、突発的な予想外の動作をとっても、ペットの前胸や腹部に過度のテンションがかかるのを回避することができ、また、ペットが後退りするなどの予想外の動作によって、ハーネスが抜けてしまうのを軽減できる。
【図面の簡単な説明】
【００１２】
【図１】（ａ）及び（ｂ）は、実施形態に係るペット用ハーネスの装着状態を示す説明図である。
【図２】（ａ）及び（ｂ）は、実施形態に係るペット用ハーネスの全体構成を示す斜視図である。
【図３】実施形態に係るベスト部の展開図である。
【図４】（ａ）及び（ｂ）は、実施形態に係るペット用ハーネスのリード係合部及び装着部を示す上面図である。
【図５】実施形態に係るペット用ハーネスの装着状態を上方から示す説明図である。
【図６】実施形態に係るリード係合部及び装着部の位置関係を示す側面図である。
【図７】実施形態に係る首輪部材を示す斜視図である。
【図８】（ａ）及び（ｂ）は、実施形態に係るペット用ハーネスの使用状態を示す斜視図である。
【図９】変更例に係るペット用ハーネスの全体構成を示す斜視図である。
【考案を実施するための形態】
【００１３】
（ペット用ハーネスの構成）
以下に添付図面を参照して、本考案に係るペット用ハーネスの実施形態を詳細に説明する。図１（ａ）及び（ｂ）は、実施形態に係るペット用ハーネス１の装着状態を示す説明図であり、図２（ａ）及び（ｂ）は、実施形態に係るペット用ハーネス１の全体構成を示す斜視図である。図３は、本実施形態に係るベスト部１１の展開図であり、図４（ａ）及び（ｂ）は、リード係合部１２及び装着部１５を示す上面図である。また、図５は、ペット用ハーネス１の装着状態を上方から示す説明図であり、図６は、本実施形態に係るリード係合部１２及び装着部１５の位置関係を示す側面図である。
【００１４】
図１に示すように、ペット用ハーネス１は、犬や猫、フェレットなど四足動物のペット２に着用させるベストハーネスであり、ペット２に装着されるベスト部１１と、ペット２の背中中央に位置され、リード３が係合されるリード係合部１２と、ペット２の背中に位置され、ベスト部１１をペット２に装着着脱可能に装着させる装着部１５と、ペット２の首に巻き回される環状の首輪部材とから形成される。
【００１５】
ベスト部１１は、例えば合成繊維や合成皮革、本革などで形成され、図２（ａ）及び（ｂ）に示すように、ペットの前胸に巻き回される帯状の前胸用帯１３と、ペットの腹部に巻き回される帯状の腹部用部材１４と、ペット２の胸部から腹部まで亘る胸部において、一定の面積をもって、前胸用帯１３と腹部用部材１４とを連結する連結布部材１６とから一体形成されている。
【００１６】
本実施形態において、ベスト部１１は、複数の布を重ね合わせた多層形状となっており、ペット２と当接する裏面１１ａは、メッシュ素材から構成されている。これにより、当接部分の通気性を向上させ、ムレを防止することができる。また、裏面１１ａは、クッション材から構成されており、負担の掛り易い部分である、ペットの喉、前足の付け根、脇下等へのテンションを軽減させることができる。
【００１７】
そして、前胸用帯１３の端部と、腹部用部材１４の端部を、縫着部１３１で縫合することによって、左右一対に環状部１１１ａ及び１１１ｂが形成させる。この一対の環状部１１１ａと１１１ｂにペット２の前足を通し、ペットの背中側で装着部１５を連結させることにより、ペットの上半身に装着される。
【００１８】
なお、ベスト部１１の形状は、ペット２の前胸及び腹部に巻き回し、所定の面積をもって胸部に当接できれば、図示した矩形状のみならず、ペットの肢体に合わせて種々の曲線によってデザインすることができる。
【００１９】
リード係合部１２は、図３及び図４に示すように、左右一対の環状部１１１ａ及び１１１ｂにそれぞれ縫着されたベルト１２ａ及び１２ｂからなり、各ベルト１２ａ及び１２ｂの自由端側にはリング１２１ａ及び１２１ｂをそれぞれ有している。また、リード係合部１２は、縫着部１３１から所定の角度で突出した構成となっており、腹部用部材１４側に対して、引く力が作用するようになっている。そして、ベスト部１１をペット２に装着した状態において、左右のリンク１２１ａ及び１２１ｂを束ねてリード３のフック３１や鎖等を係合できるようになっている。ここで、リング１２１ａ及び１２１ｂは、形状の丸い丸カン、若しくはＤ字状のＤカン、三角形の三角カン等の留め具であり、金属又はプラスチック素材などの一定の強度を有する素材から形成されている。
【００２０】
装着部１５は、左右一対の環状部１１１ａ及び１１１ｂにそれぞれ縫着されたベルト１５ａ及び１５ｂからなり、各ベルト１５ａ及び１５ｂの自由端側にはバックル１５１の着脱部１５１ａ及び１５１ｂをそれぞれ有している。そして、ベスト部１１をペット２に装着した状態において、着脱部１５１ａ及び１５１ｂを結合させることにより、ベスト部１１を、ペット２の上半身に密着させる。なお、装着部１５の中央には、アジャスタ１５２が設けられており、バックル１５１によるベルトの着脱とともに、装着部１５の長さの調節も可能となっている。なお、本実施形態において、装着部１５は、リード係合部１２の前方に位置しているが、本考案は、これに限定するものでなく、例えば、腹部用部材１４をコントロールしやすくするために、リード係合部１２をペットの首側に配置させる場合には、装着部１５をリード係合部１２の後方に位置させてもよい。
【００２１】
そして、本実施形態では、図４に示すように、一対のリード係合部１２は、リング１２１ａ及び１２１ｂを重ね合わせた状態における、左右の全長Ｌ２が、係合状態における装着部１５の長さＬ１にほぼ等しくなっている。これにより、ペットが頭を下げて後退した際、首からハーネスが抜けることを最大限に予防する意味がある。
【００２２】
また、装着部１５は、ベスト部１１をペット２に装着させた際、図５に示すように、ペット２の脊髄に沿った中心線ＣＬ１に垂直となっている。また、リード係合部１２は、図３に示すように、装着部１５に対して一定の角度θを保持するように、前胸用帯１３の端部（縫着部１３１）に縫着されている。
【００２３】
そして、本実施形態では、ベスト部１１をペット２に装着させ、縫着部１３１で前胸用帯１３と腹部用部材１４とを縫着させた状態では、図６に示すように、リード係合部１２の延長線Ｌ３と、装着部１５の延長線Ｌ４との交点Ｐ２が、ベスト部１１の中心線ＣＬ２と中心線ＣＬ１との交点Ｐ１よりも腹部側に位置するような構成となっている。
【００２４】
次いで、首輪部材５について説明する。図７は、本実施形態に係る首輪部材を示す斜視図である。図７に示すように、首輪部材５は、ベスト部１１と着脱可能に設けられた首輪であり、ペット２の首に巻き回されて首に当接される環状の環状部５１と、環状部５１の径の大きさを調整する調整部５２と、調整部５２の位置を固定する留具５３と、留具５３を介して環状部５１とは反対側に延びる帯状の連結部５４から形成される。
【００２５】
環状部５１は、布、合成繊維などで形成され、一方の端部分が紐部材の所定位置で縫着等されて環状に形成されている。調整部５２は、内部が貫通された貫通孔５２ａを備えた略長方形状をなし、重ね合わされた環状部５１を貫通孔５２ａに挿通させてスライド移動可能となっている。
【００２６】
留具５３は、金属等で形成されており、一対の挟み部材５３ａ，５３ａが環状部５１を挟んで対向配置され、環状部５１上をスライド移動可能に設けられている。この留具５３は、夫々の挟み部材５３ａ，５３ａが軸５３ｂによって軸支されている。この軸５３ｂに弾性部材であるバネ等が取り付けられており、バネ等の弾性力によって一対の挟み部材５３ａ，５３ａが環状部５１又は調整部５２を噛止するようになっている。
【００２７】
連結部５４は、布、合成繊維などで形成された帯状の部材であり、留具５３又は環状部５１と連結されている。そして、この連結部５４の自由端には、金属又はプラスチック素材などの一定の強度を有する素材で形成されたリング部材５５が設けられている。なお、連結部５４の長さは、図示していないアジャスター部材を用いて変更可能であり、通常は、ペット２の首からリード係合部２１までの距離よりも長くなるように設定するものとする。これにより、ベスト部１１が装着されている場合、リード３を引っ張った際に生じるテンションは首輪部材５には伝達されず、不必要にペット２の首を絞めることを防止できる。
【００２８】
このような首輪部材５を装着する場合には、ペット２の首に環状部５１を巻き回した後、調整部５２で環状部５１の径の大きさを調整し、その後留具５３で調整部５２を噛止して位置を固定させることで環状部５１の径の大きさを保持させる。その後、連結部５４の他端に設けられてリング部材５５にリード３のフック３１を挿通させて係合させることで、首輪部材５と環状部１１１ａ，１１１ｂが形成されたベスト部１１とを連結させる。なお、この際、リード３のフック３１にはリード係合部１２も係合されているものとする。また、装着された首輪部材５の連結部５４は、中心線ＣＬの同軸上を平行に延びるようになっている。
【００２９】
（本実施形態による作用・効果）
以上説明した本実施形態に係るペット用ハーネス１によれば、前胸用帯１３の端部と、腹部用部材１４の端部を縫合することによって、左右一対に形成される環状部１１１ａ及び１１１ｂに、ペット２の前足を通し、ペット２の背後において、左右の装着部１５のバックル１５１を係合させることで、ペット２にペット用ハーネス１を装着させることができる。このとき、ペット２の胸部に当接される連結布部材１６により、ハーネス全体をペット２に密着させることができ、また、連結布部材１６は所定の面積を有することから、リード３などを介してペット２に伝達されるテンションをペット２の胸部から腹部にかけて分散させることができる。
【００３０】
また、一対のリード係合部１２は、そのリング１２１ａ及び１２１ｂを重ね合わせた状態における左右の全長Ｌ２が、係合状態における装着部１５の長さＬ１にほぼ等しいため、ペット用ハーネスを装着した状態では、ペット２が後足で立ち上がって突発的に前進しようとしたり、ペットが後退りするなど、予想外の動作を取っても、ベスト部１１がペット２に密着されているとともに、リード係合部１２がペット２の脊髄に対して適切な角度とテンションを保つことができ、ハーネスが外れることを軽減することができる。
【００３１】
さらに、本実施形態では、図６に示すように、縫着部１３１で前胸用帯１３と腹部用部材１４とを縫着させた状態において、延長線Ｌ３と、延長線Ｌ４との交点Ｐ２が、中心線ＣＬ２と中心線ＣＬ１との交点Ｐ１よりも腹部側に位置している。ここで、交点Ｐ１は、連結布部材１６の中心部分であるため、交点Ｐ２を交点Ｐ１よりも腹部用部材側に位置させることで、リード３などを介してペット２に伝達されるテンションをペット２の腹筋部分に作用させることができる。その結果、図７に示すように、リード３をペット２の腹筋位置で背中（背骨）に対して垂直に引く事が可能となり、これにより、ペットの前足を浮かすことができ、コントロールがしやすくなっている。
【００３２】
なお、本実施形態では、延長線Ｌ３と延長線Ｌ４との交点Ｐ２が中心線ＣＬ１と中心線ＣＬ２との交点Ｐ１よりも腹部側に位置される構成としたが、本考案は、これに限定するものではなく、ペット２に伝達されるテンションをペット２の腹筋部分に作用させることができればよく、例えば、リード係合部１２と装着部１５との長さ、角度、又は縫着位置を調整することによって、リード係合部１２と装着部１５との合力の作用点が中心線ＣＬ１と中心線ＣＬ２との交点Ｐ１よりも腹部側に位置される構成としてもよい。
【００３３】
さらに、本実施形態では、首輪部材５を備え、首輪部材５には、リード３のフック３１に係合される連結部５４を有しているので、例えば、図１１に示すように、ペット２が突然後退してペット用環状部１１１ａ，１１１ｂから前脚が抜けて、ベスト部１１が外れた場合であっても、首輪部材５によってペット２の動きを抑制することができ、ペット２が逃げてしまうことを防止できる。また、連結部５４の長さは、ペット２の首からリード係合部２１までの距離よりも長くなるように設定しているため、ベスト部１１が装着されている場合、リード３を引っ張った際に生じるテンションは首輪部材５には伝達されず、不必要にペット２の首を絞めることを防止できる。
【００３４】
以上述べたように、本実施形態に係るペット用ハーネス１によれば、犬や猫、フェレットなどの四足動物のペットに用いるペット用ハーネスにおいて、ペット２が後足で立ち上がって突発的に前進しようとするなど、突発的な予想外の動作をとっても、ペットの前胸や腹部に過度のテンションがかかるのを回避することができ、また、ペットが後退りするなどの予想外の動作によって、ハーネスが抜けてしまうのを最大限軽減するとともに、ペット２が逃げ出すことを防止する工夫がされている。
【００３５】
（変更例）
なお、本考案は、上記実施形態に限定されるものではなく、種々の変更を加えることができる。図８は、本変更例に係るペット用ハーネスの全体構成を示す斜視図である。
【００３６】
例えば、図８に示すように、ベスト部１１の裏面１１ａに保冷剤４０を収納するポケット状の収納部１７を設けてもよい。この収納部１７に保冷剤４０を収納させることにより、ベスト部１１内部の温度上昇を抑えることができる。
【符号の説明】
【００３７】
ＣＬ１，２…中心線
Ｌ３，Ｌ４…延長線
１…ペット用ハーネス
２…ペット（四足動物）
３…リード
５…首輪部材
１１…ベスト部
１１ａ…裏面
１２…リード係合部
１２ａ，１２ｂ…ベルト
１３…前胸用帯
１４…腹部用部材
１５…装着部
１６…連結布部材
１７…収納部
３１…フック
４０…保冷剤
５１…環状部
５２…調整部
５３…留具
５４…連結部
５５…リング部材
１１１ａ、１１１ｂ…環状部
１２１ａ、１２１ｂ…係合リング
１３１…縫着部
１５１…バックル
１５１ａ，１５１ｂ…着脱部
１５２…アジャスタ
【図１】
0003187998.tif 000003
【図２】
0003187998.tif 000004
【図３】
0003187998.tif 000005
【図４】
0003187998.tif 000006
【図５】
0003187998.tif 000007
【図６】
0003187998.tif 000008
【図７】
0003187998.tif 000009
【図８】
0003187998.tif 000010
【図９】
0003187998.tif 000011